(57)【要約】【課題】タモが装着された状態でタモをコンパクトに収納することができるタモの柄の提供。【解決手段】第１番節１６の先端部１２に網保持部材１３が設けられている。網保持部材１３は、第１番節１６に沿う収納姿勢と第１番節１６から径方向外方に湾曲する展開姿勢との間で姿勢変化する。この姿勢変化は、姿勢変化機構２１により行われる。網保持部材は、弾性板により構成される。姿勢変化機構２１は、環状に形成された第１支持部２６と第２支持部２７と、スライド規制板２８とにより構成される。スライド規制板２８は、第１番節１６に内蔵され、当接部３７が第１番節１６から進退する。網保持部材１３は、その両端部２２，２３が回動自在に支持されている。【選択図】　図３
2004081170.tif 000002
【特許請求の範囲】
【請求項１】
細長棒状に形成された柄部と、
柄部の先端部に、当該柄部の軸方向に沿って配置される収納姿勢と当該柄部の径方向外方に湾曲される展開姿勢との間で姿勢変化可能に設けられた網保持部材とを有するタモの柄。
【請求項２】
上記網保持部材を上記展開姿勢に保持し、且つ所要時に当該展開姿勢から上記収納姿勢への姿勢変化を許容する姿勢変化機構が備えられている請求項１記載のタモの柄。
【請求項３】
上記網保持部材は、弾性を有する平板により構成されている請求項１又は２記載のタモの柄。
【請求項４】
上記姿勢変化機構は、
上記柄部の先端に固定され、上記網保持部材の一端部を支持する第１支持部と、
上記網保持部材の他端部を支持し、上記網保持部材が上記収納姿勢となる第１支持部の後方第１位置に上記柄部の軸方向に沿ってスライド可能に設けられた第２支持部と、
上記網保持部材が上記展開姿勢となるように第２支持部が第１支持部の後方第２位置にスライドした状態で、当該第２支持部が当該後方第２位置から上記後方第１位置へスライドすることを規制するスライド規制部材とを備えている請求項２又は３記載のタモの柄。
【請求項５】
上記スライド規制部材は、
上記柄部の先端部所定位置に内蔵されており、弾性変形することによって当該柄部から径方向に進退する弾性板からなる請求項４記載のタモの柄。
【請求項６】
上記網保持部材は、その両端部が上記柄部の径方向に沿う回動軸線まわりに回動可能に設けられている請求項１ないし５のいずれかに記載のタモの柄。
【発明の詳細な説明】
【０００１】
【発明の属する技術の分野】
この発明は、魚釣りに使用されるタモが装着されるタモの柄に関するものである。
【０００２】
【従来の技術】
図７は、従来から魚釣りに使用されている陸揚用すくい上げ具の要部分解斜視図である。陸揚用すくい上げ具は、タモ１を備え、タモ１は、柄部材（一般に「タモの柄」と称される）２の先端に取り付けられる。タモの柄２は、通常伸縮自在となっており、使用されるときは伸長され、携帯するときはコンパクトに縮短されるようになっている。
タモ１は、タモ枠３と、タモ枠３に取り付けられた網４とを有する。タモ枠３には、ねじが形成された係合部５が設けられており、この係合部５がタモの柄２の先端部にねじ込まれることにより、タモ１がタモの柄２に固定される。タモ１が使用されないときは、タモ１はタモの柄２から取り外される（例えば、非特許文献１参照）。
【０００３】
従来のタモ１は、前述のようにしてタモの柄２に取り付けられて使用されるから、釣人は、釣りを始める際に、また釣りを終える際に、タモ１をタモの柄２に対して着脱しなければならず、この作業は非常に煩わしいものである。また、タモ１が使用されないときはタモの柄２から取り外されるから、釣人は、タモ１とタモの柄２の双方を携帯しなければならない。
このため、従来から、タモの柄にタモが取り付けられた状態で、当該タモを収納するための構造が種々提案されている（例えば、特許文献１、特許文献２及び非特許文献１参照）。
【０００４】
【特許文献１】
特開２００２−１４２６１２号公報
【特許文献２】
特開２０００−２７０７１５号公報
【非特許文献１】
株式会社シマノ　２００２シマノフィッシングタックルカタログ（第６１頁、第６２頁）
【０００５】
【発明が解決しようとする課題】
しかしながら、従来のタモを収納するための構造は、タモを十分コンパクトに収納することができないものや、構造がきわめて複雑なものであった。
そこで、本発明の目的は、タモが常時装着されていても、タモをきわめてコンパクトに収納することができるタモの柄を提供することである。
【０００６】
【課題を解決するための手段】
（１）　上記目的を達成するため、本願に係るタモの柄は、細長棒状に形成された柄部と、柄部の先端部に、当該柄部の軸方向に沿って配置される収納姿勢と当該柄部の径方向外方に湾曲される展開姿勢との間で姿勢変化可能に設けられた網保持部材とを有することを特徴とするものである。
【０００７】
この構成によれば、網保持部材が展開姿勢となると、柄部の先端部は、当該柄部及び当該柄部の径方向外方に湾曲された網保持部材によって半円形状に形成される。なお、この半円形状に形成された柄部の先端部及び網保持部材が網に挿通されることにより、タモの柄の先端部にタモが装着された状態となる。すなわち、上記柄部の先端部及び網保持部材は、タモ枠を構成することになる。
網保持部材は、上記展開姿勢から収納姿勢へと姿勢変化することにより、網保持部材は、柄部の軸方向に沿って折り畳まれた状態で配置される。
【０００８】
（２）　上記網保持部材を上記展開姿勢に保持し、且つ所要時に当該展開姿勢から上記収納姿勢への姿勢変化を許容する姿勢変化機構が備えられていてもよい。
この構成では、姿勢変化機構により、網保持部材が展開姿勢に保持されるから、タモの柄が使用されるときは、当該タモの柄と共に常に上記タモ枠が一体的に構成される。したがって、このタモ枠に網が装着されることにより、常時陸揚用すくい上げ具が構成される。
一方、タモの柄が使用されないときは、上記姿勢変化機構により網保持部材が収納姿勢に姿勢変化されるから、上記タモ枠が折り畳まれた状態となり、タモの柄がコンパクトに収納される。また、上記網がタモの柄に装着されている場合は、陸揚用すくい上げ具がコンパクトに収納される。
【０００９】
（３）　上記網保持部材は、弾性を有する平板により構成されているのが好ましい。
これにより、網保持部材が簡単で安価に構成される。また網保持部材が弾性変形することによって上記姿勢変化が容易に行われる。したがって、上記タモ枠の展開及び収納がきわめて容易なものとなる。
【００１０】
（４）　上記姿勢変化機構は、上記柄部の先端に固定され、上記網保持部材の一端部を支持する第１支持部と、上記網保持部材の他端部を支持し、上記網保持部材が上記収納姿勢となる第１支持部の後方第１位置に上記柄部の軸方向に沿ってスライド可能に設けられた第２支持部と、上記網保持部材が上記展開姿勢となるように第２支持部が第１支持部の後方第２位置にスライドした状態で、当該第２支持部が当該後方第２位置から上記後方第１位置へスライドすることを規制するスライド規制部材とを備えて構成される。
【００１１】
この構成では、網保持部材の一端部が第１支持部に支持され、他端部が第２支持部に支持された状態で、第１支持部が上記柄部の先端に固定され、第２支持部が第１支持部の後方第１位置に配置される。これにより、網保持部材は、第１支持部及び第２支持部間に真っ直ぐに配置され、収納姿勢となる。
第２支持部が柄部に沿って先端側へスライドされ、第１支持部の後方第２位置に配置されると、第１支持部と第２支持部との間の距離が小さくなり、そのため、網保持部材は柄部の径方向外方へ湾曲する。これにより、網保持部材は展開姿勢となる。
また、第２支持部が上記後方第２位置に配置されたときは、スライド規制部材によって、第２支持部が上記後方第１位置へスライドすることが規制されるので、網保持部材は、展開姿勢に保持され、不用意に収納姿勢へと姿勢変化することはない。
【００１２】
上記スライド規制部材は、上記柄部の先端部所定位置に内蔵され、弾性変形することによって当該柄部から径方向に進退する弾性板から構成されていてもよい。
この構成では、上記網保持部材が展開姿勢となったときは、弾性板が柄部から突出し、網保持部材に当接する。これにより、網保持部材のスライドが規制され、上記展開姿勢が維持される。また、弾性板が弾性変形されて柄部の内部に退避すると、網保持部材のスライドが許容され、網保持部材は、展開姿勢から収納姿勢に姿勢変化することができる。
つまり、上記スライド規制部材として弾性板が採用されることによって、釣人は弾性板を弾性変形させるだけで、簡単に網保持部材の姿勢を変化させることができる。
【００１３】
（５）　上記網保持部材は、その両端部が上記柄部の径方向に沿う回動軸線まわりに回動可能に設けられていてもよい。
網保持部材が前述のように姿勢変化するときは、網保持部材の両端部と柄部との成す角度が変化する。したがって、網保持部材の両端部が上記柄部の径方向に沿う回動軸線まわりに回動可能に設けられることにより、網保持部材の姿勢変化がより円滑に行われる。その結果、上記タモ枠の展開又は収納が一層簡単に行われる。
【００１４】
【発明の実施の形態】
以下、適宜図面が参照されつつ、好ましい実施形態に基づいて本発明が詳細に説明される。
【００１５】
図１は、本発明の一実施形態に係るタモの柄１０の斜視図であり、タモの柄１０の概略構成を図示している。
このタモの柄１０は、陸揚用すくい上げ具の一部を構成するものである。陸揚用すくい上げ具とは、一般に、魚釣りの際に使用され、掛かった魚を釣人がすくうための道具であり、タモの柄にタモ枠が取り付けられた構造物をいう。
このタモの柄１０は、柄部１１と柄部１１の先端部１２に設けられた網保持部材１３とを備えており、当該先端部１２及び網保持部材１３によって、いわゆるタモ枠１４が形成されている。
【００１６】
そして、本実施形態の特徴とするところは、前述のように、柄部１１にタモ枠１４が形成されている点、及び後に詳述される姿勢変化機構２１によって、この網保持部材１３が展開姿勢（図１が示す姿勢）と、後述される収納姿勢との間で姿勢変化可能となっている点であり、これにより、上記タモ枠１４がきわめて簡単且つコンパクトに柄部１１に沿って収納されるようになっている。
図２は、図１における要部斜視図であり、上記網保持部材１３が上記収納姿勢となった状態を示している。
なお、タモ枠１４には、通常、網１５が装着される。これにより、陸揚用すくい上げ具が構成されるようになっている。
以下、タモの柄１０の構造についてさらに詳述される。
【００１７】
柄部１１は、いわゆる振出式に形成された竿部材である。本実施形態では、４本の細長棒状（円筒状）の部材１６〜１９から構成されている。これら各部材１６〜１９は、それぞれ、第１番節、第２番節、第３番節及び第４番節と称される。各節１６〜１９は、一般に、所定形状に裁断されたカーボンプリプレグが筒状に巻回されて形成される。
【００１８】
第１番節１６〜第４番節１９の外径は、順次大きくなるように形成されており、第１番節１６が第２番節１７の内部に引出自在に挿入され、第２番節１７が第３番節１８の内部に引出自在に挿入されている。第３番節１８と第４番節１９との関係も同様である。したがって、第４番節１９から第１〜第３番節１６〜１８がそれぞれ振り出されることによって柄部１１が伸長し、また、第４番節１９に第１〜第３番節１６〜１８が収納されることによって柄部１１が縮短する。
なお、第４番節１９の後端には装飾用のキャップ２０がねじ込まれている。また、本実施形態では、柄部１１は、上記各節１６〜１９により構成されているが、柄部１１は、単一の細長棒状部材により構成されていてもよい。
【００１９】
図３は、図１における要部拡大斜視図であり、網保持部材１３の取付構造を詳細に示している。
網保持部材１３は、本実施形態では、細長薄肉の平板により構成されている。この網保持部材１３は、例えば、ステンレス鋼等により構成されており、幅寸法Ｂは、５ｍｍ〜１５ｍｍ、肉厚寸法ｔは、０．３ｍｍ〜２．０ｍｍのものが採用される。また、網保持部材１３の長さ（長手方向寸法）は、３５０ｍｍ〜５００ｍｍに設定される。
【００２０】
網保持部材１３が上記材料からなり、上記形状に形成されることによって、網保持部材１３は簡単に弾性変形することができる。網保持部材１３の弾性変形の態様は、後に詳述されるが、網保持部材１３の他端部２３が柄部１１（第１番節１６）の長手方向に沿ってスライドされることによって、網保持部材１３は、図１が示す展開姿勢と図２が示す収納姿勢との間で、相互に自在に姿勢変化する。
ここで、収納姿勢とは、図２が示すように、網保持部材１３が第１番節１６の軸方向に真っ直ぐに沿うように配置された姿勢をいい、展開姿勢とは、図１が示すように、網保持部材１３が第１番節１６の径方向外方へ湾曲された姿勢をいう。
【００２１】
本実施形態では、網保持部材１３の一端部２２及び他端部２３には、支持ボス２４，２５が取り付けられている。なお、図１及び図２は、タモの柄１０の概略構成を示すものであるから、これら支持ボス２４，２５の図示が省略されている。
この支持ボス２４，２５は、上記姿勢変化機構２１に対して網保持部材１３を連結するものであり、後述のように、網保持部材１３の姿勢変化を容易にするものである。
【００２２】
次に、姿勢変化機構２１について詳述される。
姿勢変化機構２１は、第１支持部２６と、第２支持部２７と、スライド規制板２８（スライド規制部材）とを備えている。
第１支持部２６は、円環状に形成されており、第１番節１６の先端に固定されている。第１支持部２６は、例えば、合成樹脂や金属等により構成されている。
図４は、第１番節１６の先端部の要部拡大断面図である。
同図が示すように、第１支持部２６の内径は、第１番節１６の外径に対応されており、第１番節１６の先端にぴったりと嵌め込まれている。
【００２３】
なお、本実施形態では、第１支持部２６が第１番節１６から外れないように、ロック機構２９が設けられている。
このロック機構２９は、アンカー部材３０と、ロックピン３１とを備えている。アンカー部材３０は、例えば、合成樹脂や金属等により構成されている。アンカー部材３０は、円柱状に形成されており、第１番節１６の内部に嵌め込まれている。アンカー部材３０の外周面は、第１番節１６の外周面といわゆる面一状態となるように形成されている。また、アンカー部材３０の中央部には、軸方向に沿ってねじ孔が形成されている。
【００２４】
ロックピン３１は、軸部３２とフランジ部３３とを有している。この軸部３２は、上記アンカー部材３０のねじ孔にねじこまれており、フランジ部３３がアンカー部材３０の端面に当接している。フランジ部３３の外径は、アンカー部材３０の外径よりも大きく設定されており、これにより、フランジ部３３の縁部は、アンカー部材３０の外縁よりも径方向外方へ突出している。
したがって、上記第１支持部２６が第１番節１６に嵌め込まれたときに、上記ロックピン３１のフランジ部３３が第１支持部２６の端面に当接し、これにより、第１支持部２６が第１番節１６から抜け出てしまうことはない。
なお、このロックピン３１が取り外されることによって、第１支持部２６は、第１番節１６から外れることができる。
【００２５】
図３が示すように、第１支持部２６は、係止部３４を備えている。この係止部３４は、網保持部材１３の上記支持ボス２４を支持するものである。同図が示すように、係止部３４は、断面円形の棒状部材からなり、この係止部３４は、上記支持ボス２４に挿通されている。
係止部３４のうち支持ボス２４に挿通された部分は、第１番節１６の径方向に沿って（同図では、上下方向に沿って）配置されている。つまり、係止部３４のうち支持ボス２４に挿通された部分の中心軸線（回動軸線）は、第１番節１６の径方向に沿って配置されている。
また、支持ボス２４は、係止部３４に対して回動自在となっている。したがって、支持ボス２４は、係止部３４の上記中心軸線回りに自在に回動することができるようになっている。これによる作用効果については、後述される。
【００２６】
第２支持部２７は、第１支持部２６と同様の構成であり、第１番節１６に嵌め込まれている。第２支持部２７は、第１番節１６に対してその軸方向に沿ってスライド自在となっている。
第２支持部２７は、図２が示すように、第１支持部２６よりも第１番節１６の後方側に配置されている。同図が示す第２支持部２７の位置は、第１位置（第１支持部の後方第１位置）と定義される。
そして、第２支持部２７は、第１位置から第１番節１６に沿って先端側へスライドし、図３が示す位置に配置される。同図が示す第２支持部２７の位置は、第２位置（第１支持部材の後方第２位置）と定義される。
したがって、第２支持部２７が第１位置に配置されたときは、網保持部材１３は収納姿勢となり、第２支持部２７が第１位置から第２位置へ移動されたときは、網保持部材１３は展開姿勢となる。
【００２７】
図３が示すように、第２支持部２７は、係止部３５を備えており、この係止部３５が上記支持ボス２５に挿通されている。この係止部３５は、上記係止部３４と同様の構成である。したがって、支持ボス２４と同様に支持ボス２５は、係止部３５のまわり、すなわち、第１番節１６の径方向に沿う軸線まわりに自在に回動することができるようになっている。これによる作用効果については、後述される。
【００２８】
スライド規制板２８は、図３が示すように、第１番節１６の内部に配置されている。
図５は、第１番節１６の要部断面図であり、スライド規制板２８の取付要領を示している。
スライド規制板２８は、例えば、ステンレス鋼等により構成されている。スライド規制板２８は、基部３６と当接部３７とを有する。基部３６は、細長薄肉のフラットバーからなり、略Ｕ字状に湾曲形成されている。
【００２９】
また、第１番節１６には、スリット４０が設けられている。このスリット４０は、上記当接部３７が第１番節１６に対して後述のように進退するのを許容する。
同図が示すように、基部３６は、第１番節１６の内部に嵌め込まれており、基部３６の基端側部分３８が接着剤等により第１番節１６の下方に固定されている。また、基部３６の上記基端側部分３８に連続する部分３９は、湾曲されて第１番節１６の上方へ延びている。この部分３９は、力学的に拘束されておらず、同図において二点鎖線で示されるように、弾性変形が可能となっている。
【００３０】
当接部３７は、上記部分３９の上面中央部に突設されている。したがって、上記部分３９は、常時は、同図の実線で示された姿勢となり、当接部３７が上記スリット４０から突出する。
また、当接部３７が矢印４１の方向に押圧されることにより、スライド規制板２８の湾曲部分が弾性変形し、上記部分３９が矢印４１の方向に移動する。すなわち、上記部分３９が同図の二点鎖線で示された姿勢に変化する。これにより、当接部３７は、上記スリット４０から第１番節１６の内部に収容される。
【００３１】
本実施形態に係るタモの柄１０では、網保持部材１３が上記収納姿勢（図２参照）と上記展開姿勢（図１参照）との間で姿勢変化可能であるから、網保持部材１３が展開姿勢となると、柄部１１の先端部は、第１番節１６及び網保持部材１３によって半円形状に形成される。この部分は、前述のように、タモ枠１４を構成する。そして、このタモ枠１４に網が挿通されることにより、タモの柄１０の先端部にタモが装着された状態となる。
また、網保持部材１３は、展開姿勢から収納姿勢へと姿勢変化することにより、網保持部材１３は、柄部１１の軸方向に沿って折り畳まれる。
【００３２】
つまり、網保持部材１３が展開姿勢となることによって、タモの柄１０の先端にタモ枠１４が形成され、網保持部材１３が収納姿勢となることによって、タモの柄１０の先端に形成されたタモ枠１４がタモの柄１１に沿って折り畳まれた状態となる。したがって、タモの柄１０は、使用されないときはタモ枠１４と共にきわめてコンパクトに収納されるので、釣人がタモの柄１０を携帯する際に非常に便利である。
しかも、タモ枠１４には網が装着され得るから、網を装着した状態で構成される陸揚用すくい上げ具の持ち運びも非常に便利なものとなる。
【００３３】
なお、タモ枠１４に対する網の着脱は、次のようにして行われる。
図３及び図４が示すように、第１支持部２６はロックピン３１が取り外されることによって第１番節１６から取り外される。また、網は、通常上面に開口を有する袋状に形成されており、タモ枠１４が当該開口周縁部に挿通されることによって網がタモ枠１４に取り付けられる。
したがって、網の開口周縁部に上記第１支持部２６及び網保持部材１３が挿通されると共に、第１番節１６（柄部１１の先端部１２）が網の開口周縁部に挿通され、さらに、この状態で上記第１支持部２６が再び第１番節１６に固定されることによって、網は、タモ枠１４に確実に装着される。
なお、上記ロックピン３１が取り外され、第１支持部２６が第１番節１６から取り外されることによって、網は簡単にタモ枠１４から取り外される。
【００３４】
本実施形態では、網保持部材１３は、前述のように弾性を有する平板により構成されているので、網保持部材１３は、簡単で安価に構成される。しかも、網保持部材１３が弾性変形されることによって、上記姿勢変化が容易に行われる。したがって、上記タモ枠１４の展開及び収納がきわめて容易であるという利点がある。
【００３５】
また、本実施形態では、上記姿勢変化機構２１によって、網保持部材１３が収納姿勢に保持されるので、タモの柄１０が使用されるときは、常に上記タモ枠１４が安定して構成される。したがって、このタモ枠１４に網が装着されることにより、常時陸揚用すくい上げ具が構成されるという利点もある。
また、タモの柄１０が使用されないときは、姿勢変化機構１７により網保持部材１３が収納姿勢に姿勢変化されるから、上記タモ枠１４が折り畳まれた状態となり、陸揚用すくい上げ具がコンパクトに収納される。
【００３６】
さらに、本実施形態では、第２支持部２７がスライドされるだけで、網保持部材１３は簡単に収納姿勢と展開姿勢との間で姿勢変化する。また、スライド規制板２８によって、第２支持部２７のスライドが規制され、第２支持部２７が上記第２位置に配置されたときに（図３参照）、不用意に第１位置へスライドしてしまうことがない。つまり、網保持部材１３が展開姿勢に保持され、釣人は、従来の陸揚用すくい上げ具と同様に、当該タモの柄１０を操作することができる。
このように、本実施形態では、姿勢変化機構２１の構造がきわめて簡単であり、姿勢変化機構２１が設けられることによるタモの柄１０の製造コストの大幅な上昇が抑えられるという利点がある。
【００３７】
しかも、スライド規制板２８は、第１番節１６に内蔵されており、弾性変形することによって第１番節１６の径方向に進退する。すなわち、網保持部材１３が展開姿勢となったときは、スライド規制板２８が第１番節１６から突出し、当接部３７が網保持部材１３側に当接することによって、網保持部材１３のスライドが規制され、上記展開姿勢が維持される。また、スライド規制板２８が弾性変形され、当接板３７が第１番節１６の内部に退避することによって、網保持部材１３のスライドが許容され、網保持部材１３は、収納姿勢に姿勢変化する。
したがって、スライド規制板はきわめて簡単な構造であると共に、釣人はスライド規制板２８を弾性変形させるだけで、ワンタッチで網保持部材１３の姿勢を変化させることができるという利点もある。
【００３８】
加えて、本実施形態では、網保持部材１３の両端部２２，２３は支持ボス２４，２５を介して係止部３４，３５に連結され、両者は相対的に回動自在となっているので、網保持部材１３が上記姿勢変化するときは、網保持部材１３の両端部２２，２３が支持ボス２４，２５と共に回動する。これにより、網保持部材１３の姿勢変化が円滑に行われ、その結果、タモ枠１４の展開又は収納作業がきわめて簡単に行われるという利点もある。
【００３９】
次に、本実施形態の変形例について説明される。
図６は、本実施形態の変形例に係る網保持部材１３の取付構造を詳細に示す図である。
上記実施形態では、前述のように、網保持部材１３が細長薄肉の平板により構成され、常時は図２が示すような真直な状態（すなわち、収納姿勢）となっており、釣人が網保持部材１３を図３が示すように湾曲させることによって、網保持部材１３が展開姿勢に姿勢変化される。したがって、展開姿勢にある網保持部材１３は、スライド規制板２８が弾性変形させることにより、ワンタッチで収納姿勢となる。
【００４０】
本変形例では、図６が示すように、網保持部材１３が半円形状に湾曲形成されている。すなわち、網保持部材１３は、常時は展開姿勢となっている。そして、釣人が第２支持部２７を矢印Ｃの方向にスライドさせ、当接部３７に当接させることによって、網保持部材１３は真直に伸ばされ、収納姿勢に保持される。また、収納姿勢にある網保持部材１３は、釣人がスライド規制板２８を弾性変形させることにより、ワンタッチで展開姿勢となる。
したがって、本変形例では、網保持部材１３がワンタッチで展開姿勢に姿勢されるから、釣り場に到着した際に、釣人は迅速にタモの準備を行うことができるという利点がある。
【００４１】
【発明の効果】
以上のように本発明によれば、網保持部材が展開姿勢となることによって、タモの柄の先端にタモ枠が形成され、網保持部材が収納姿勢となることによって、タモの柄の先端に形成されたタモ枠がタモの柄に沿って折り畳まれた状態となる。したがって、当該タモの柄は、使用されないときはタモ枠と共にきわめてコンパクトに収納されるので、釣人は、携帯に非常に便利である。しかも、上記タモ枠には網が装着され得るから、網を装着した状態で構成される陸揚用すくい上げ具の持ち運びも非常に便利である。
【図面の簡単な説明】
【図１】図１は、本発明の一実施形態に係るタモの柄の斜視図である。
【図２】図２は、本発明の一実施形態に係るタモの柄の要部斜視図である。
【図３】図３は、本発明の一実施形態に係るタモの柄の要部拡大斜視図である。
【図４】図４は、本発明の一実施形態に係るタモの柄の第１番節の先端部の要部拡大断面図である。
【図５】図５は、本発明の一実施形態に係るタモの柄の第１番節の要部断面図である。
【図６】図６は、本発明の一実施形態の変形例に係る網保持部材の取付構造を詳細に示す図である。
【図７】図７は、従来の陸揚用すくい上げ具の要部分解斜視図である。
【符号の説明】
１０・・・タモの柄
１１・・・柄部
１２・・・先端部
１３・・・網保持部材
１４・・・タモ枠
１５・・・網
１６・・・第１番節
２１・・・姿勢変化機構
２２・・・網保持部材の一端部
２３・・・網保持部材の他端部
２４・・・支持ボス
２５・・・支持ボス
２６・・・第１支持部
２７・・・第２支持部
２８・・・スライド規制板
３４・・・係止部
３５・・・係止部
３６・・・基部
３７・・・当接部
４０・・・スリット
【図１】
2004081170.tif 000003
【図２】
2004081170.tif 000004
【図３】
2004081170.tif 000005
【図４】
2004081170.tif 000006
【図５】
2004081170.tif 000007
【図６】
2004081170.tif 000008
【図７】
2004081170.tif 000009